(57)【要約】      （修正有）【課題】カードを挿入した状態において、カードに極めて簡便に書き込みを行うことができるカードホルダを提供する。【解決手段】カードを収容可能に内部が中空の略直方体状に形成され、前後の側面の少なくとも一方に開口部が形成された収容部１０と、軸方向が上下方向を向き上端が収容部の下方底面に連結される軸部２０１と軸部の下端に形成された球形部２０２とを有するボールジョイント２０と、平板状に形成されて平面が設置面と略平行となるように収容部の下方に配置されて収容部をボールジョイントを介して支持する支持部３０と、支持部３０の上面に設けられて略筒状に形成され、収容部を軸部の中心軸周りに回動可能且つ球形部の中心を中心点として傾動可能に球形部を保持するソケットであって、周壁の一部に軸部の径より大きい周方向距離を有して周壁の上端から下方を向く切欠きが形成されるソケット４０とを備える。【選択図】図１
0003210399.tif 000002
【実用新案登録請求の範囲】
【請求項１】
カードを収容可能に内部が中空となった略直方体状に形成され、前後の側面の少なくとも一方に開口部が形成された収容部と、
軸方向が上下方向を向く軸部であって上端が前記収容部の下方底面に連結される軸部と該軸部の下端に形成された球形部とを有するボールジョイントと、
平板状に形成されて平面が設置面と略平行となるように前記収容部の下方に配置されて前記収容部を前記ボールジョイントを介して支持する支持部と、
前記支持部の上面に設けられて略筒状に形成され、前記収容部を前記軸部の中心軸周りに回動可能且つ前記球形部の中心を中心点として傾動可能に前記球形部を内部に保持するソケットであって、周壁の一部に前記軸部の径より大きい周方向距離を有して前記周壁の上端から下方を向く切欠きが形成されるソケットと
を備えるカードホルダ。
【請求項２】
前記ソケットの周壁の高さは、前後方向における前記ソケットと前記支持部の前方端部または後方端部との距離に基づくことを特徴とする請求項１に記載のカードホルダ。
【請求項３】
前記切欠きは、左右方向に互いに対向するように２つ形成されることを特徴とする請求項１または請求項２に記載のカードホルダ。
【請求項４】
前記ソケットの周壁は、前記２つの切欠きにより隔てられた後方側の第１壁部と前方側の第２壁部とを有することを特徴とする請求項３に記載のカードホルダ。
【請求項５】
前記ソケットは、前記支持部における前後方向中央に対して後方にオフセットされており、
前記第１壁部の高さは、前記第２壁部の高さより高いことを特徴とする請求項４に記載のカードホルダ。
【請求項６】
前記ボールジョイントの球形部の下方には左右方向に延在する溝部が形成されることを特徴とする請求項４または請求項５に記載のカードホルダ。
【請求項７】
前記開口部は、前記収容部の前後の側面それぞれに形成されることを特徴とする請求項１〜請求項６のいずれか一項に記載のカードホルダ。
【請求項８】
前記収容部と前記ボールジョイントとが一体成型されることを特徴とする請求項１〜請求項７のいずれか一項に記載のカードホルダ。
【請求項９】
前記支持部と前記ソケットとが一体成型されることを特徴とする請求項１〜請求項８のいずれか一項に記載のカードホルダ。
【考案の詳細な説明】
【技術分野】
【０００１】
本考案は、カレンダー紙葉、写真、絵、切り抜き等のカードを収容するカードホルダに関する。
【背景技術】
【０００２】
従来、この種のカードホルダとしては、特許文献１や特許文献２に示されるような、暦等を印刷した複数枚のカレンダー紙葉と表紙などからなるカレンダー本文を収容して保持する卓上カレンダー立や、卓上カレンダーが知られている。
【０００３】
これらのカードホルダは、組み立て式となっており、例えば特許文献１に示される卓上カレンダー立は、カレンダー紙葉が挿入されるケース部材中に脚板が挿入され、これを折曲組立することによりケース部材を傾斜状態に保持するようにしている。また、特許文献２に示される卓上カレンダーは、前面板と後面板とを所定角度に開いて、前底板の延長部先端を後面板に係止し、後底板から延びる支持片を、前底板の切込を介して前方へ突出させ、前面板の後側に沿わせたカードを支持片の先端で支持するようにしている。
【先行技術文献】
【特許文献】
【０００４】
【特許文献１】実開平４−１１６７２号公報
【特許文献２】特開２００４−５８４７８号公報
【考案の概要】
【考案が解決しようとする課題】
【０００５】
しかしながら、カードホルダにカードを挿入して机等の設置面に載置した後に、そのカードに予定やメッセージ等の書き込みを行いたい場合、上述したような卓上カレンダー立や卓上カレンダー等のカードホルダでは、カードホルダからカードを抜去するか、カードホルダ自身の組み立てを解除して寝かせて書き込みを行う等しなければならず、またその際には再度組み立てる必要があるため、非常に手間がかかるという問題があった。
【０００６】
そこで、本考案は、このような問題に鑑みてなされたもので、その目的とするところは、カードを挿入した状態において、当該カードに極めて簡便に書き込みを行うことができるカードホルダを提供することにある。
【課題を解決するための手段】
【０００７】
上記課題を解決するために、本考案の一態様は、カードを収容可能に内部が中空となった略直方体状に形成され、前後の側面の少なくとも一方に開口部が形成された収容部と、軸方向が上下方向を向く軸部であって上端が前記収容部の下方底面に連結される軸部と該軸部の下端に形成された球形部とを有するボールジョイントと、平板状に形成されて平面が設置面と略平行となるように前記収容部の下方に配置されて前記収容部を前記ボールジョイントを介して支持する支持部と、前記支持部の上面に設けられて略筒状に形成され、前記収容部を前記軸部の中心軸周りに回動可能且つ前記球形部の中心を中心点として傾動可能に前記球形部を内部に保持するソケットであって、周壁の一部に前記軸部の径より大きい周方向距離を有して前記周壁の上端から下方を向く切欠きが形成されるソケットとを備える。
【考案の効果】
【０００８】
本考案によれば、カードを挿入した状態において、当該カードに極めて簡便に書き込みを行うことができる。なお、本考案のその他の効果については、以下の考案を実施するための形態の項でも説明する。
【図面の簡単な説明】
【０００９】
【図１】実施の形態に係るカードホルダを示す正面図である。
【図２】カードホルダを示す平面図である。
【図３】カードホルダを示す右側面図である。
【図４】収容部の構成を示す斜視図である。
【図５】図１に示されるＡ−Ａ線断面図である。
【図６】収容部を後方に傾斜させた状態のカードホルダを示す右側面図である。
【図７】収容部を左側に傾斜させた状態のカードホルダを示す平面図である。
【考案を実施するための形態】
【００１０】
以下に図面を参照しながら、本考案の好適な実施の形態について詳細に説明する。なお、本明細書及び図面において、実質的に同一の機能構成を有する構成要素については、同一の符号を付することにより重複説明を省略する。なお、以降の説明においては、後述する収容部が傾斜されない状態において、この収容部の長尺方向を左右方向、上下方向及び左右方向に直交する方向を前後方向とする。
【００１１】
先ず、本考案の実施の形態に係るカードホルダの構成を、図１〜図５を用いて説明する。図１は、実施の形態に係るカードホルダを示す正面図である。図２は、カードホルダを示す平面図である。図３は、カードホルダを示す右側面図である。図４は、収容部の構成を示す斜視図である。図５は、図１に示されるＡ−Ａ線断面図である。なお、図２においては、下方を前方とする。
【００１２】
（構成）
本考案の実施の形態に係るカードホルダ１は、図１〜図４に示すように、カードを収容する収容部１０と、収容部１０の下方に位置して収容部１０と一体に形成されたボールジョイント２０と、収容部１０を下方から支持する支持部３０と、支持部３０の上方に位置して支持部３０と一体に形成されたソケット４０とを備える。
【００１３】
収容部１０は、図１〜図５、特に図４及び図５に示すように、全体として長尺であり内部が中空となった略直方体状に形成され、その上面前面には開口された上方開口部１０１が形成され、その前後方向の両側面のそれぞれには一部が開口された前方開口部１０２ａ、後方開口部１０２ｂが形成される。ここで、前方開口部１０２ａ及び後方開口部１０２ｂは、これらが形成される前後の側面において、上下左右それぞれの縁部からそれぞれ所定距離を隔てて形成される。このように、前後の側面を開口させることによって、収容部１０に収容したカードの両面に書き込みを行うことが可能となる。
【００１４】
ボールジョイント２０は、図１〜図３に示すように、収容部１０の底面における左右方向中央部に設けられ、収容部１０の底面から下方に延びる軸部２０１と、軸部２０１の下方端部にこの軸部２０１の中心軸に中心が位置するように形成された球形部２０２とを有する。球形部２０２は、その直径が軸部２０１の径以上となっており、また、図３に示すように、その下方に左右方向に延在する溝部２０２ａが形成される。なお、少なくともボールジョイント２０は合成樹脂のように適度な弾性及び強度を有する素材により形成されるものとする。これによって、ボールジョイント２０の球形部２０２に対して前後方向に過度な力が掛かった場合であっても、球形部２０２が溝部２０２ａによって撓むことができ、延いては、球形部２０２に強度を向上させることができる。また、球形部２０２が撓むことによって、ボールジョイント２０をソケット４０に容易に挿入することが可能となる。
【００１５】
支持部３０は、その面が水平に延在する平板状の部材であり、上面側にはソケット４０が設けられる。このソケット４０が設けられる位置は、左右方向においては略中央であり、前後方向においては中央位置から後方にオフセットされた位置となっている。
【００１６】
ソケット４０は、全体として上方が開口した略筒状に形成され、その内周は球形部２０２の外周面に沿う形状となっており、これによって、ソケット４０は、球形部２０２を摺動可能に保持するようになっている。また、ソケット４０は、その周壁の上端から下方に向く２つの切欠き４００ａ，４００ｂが形成されており、これら２つの切欠き４００ａ，４００ｂは左右方向を向いて互いに対向するように、周方向において１８０°ずれて配置され、２つの切欠き４００ａ，４００ｂそれぞれの周方向距離は、軸部２０１の径以上となっている。また、２つの切欠き４００ａ，４００ｂにより隔てられた２つの周壁の後方側は、ボールジョイント２０がソケット４０に保持される状態において、少なくとも収容部１０の下端より低い位置にその上端が位置するように形成された第１壁部４０１として形成され、また、２つの周壁の前方側は、第１壁部４０１より低い位置にその上端が位置するように形成された第２壁部４０２として形成される。なお、第１壁部４０１と第２壁部４０２との上下の位置関係は、支持部３０においてソケット４０が設けられる前後方向の位置に基づくものとする。本実施の形態においては、ソケット４０が前後方向において後方にオフセットされた位置に設けられているために第１壁部４０１より第２壁部４０２が高く形成されているが、この点については後述する。
【００１７】
（動作）
次に、カードホルダの動作について説明する。図６は、収容部を後方に傾斜させた状態のカードホルダを示す右側面図である。図７は、収容部を左側に傾斜させた状態のカードホルダを示す平面図である。
【００１８】
上述した構成、具体的には、ボールジョイント２０とソケット４０との接続により支持部３０に収容部１０が支持されることによって、収容部１０は、ボールジョイント２０の軸部２０１の中心軸周りに回動可能となるとともに、ボールジョイント２０の球形部２０１の中心を中心点として傾動可能となる。すなわち、収容部１０は、球形部２０２の中心を中心点として枢動可能となっている。
【００１９】
収容部１０を前後方向に傾動させた場合、ソケット４０の第１壁部４０１または第２壁部４０２にボールジョイント２０の軸部２０１が当接することによって、収容部１０の傾斜角度が規制される。例えば、図６に示すように、収容部１０を後方に傾斜させた場合には、軸部２０１がソケット４０の第２壁部４０２に当接して収容部１０の後方への傾斜角度が規制される。ここで、第２壁部４０２の高さは、支持部３０の後端からソケット４０の位置までの距離に基づいて規定されており、これによって、収容部１０の重みによりカードホルダ１が転倒することを防止している。第１壁部４０１の高さについても同様に、支持部３０の前端からソケット４０の位置までの距離に基づいて規定されている。具体的には、支持部３０の端部からのソケット４０までの距離が短いほど周壁が高く、距離が長いほど周壁を低くなるように形成される。
【００２０】
収容部１０を回動させてその左右端部を前後方向へ向けた後、収容部１０を左右方向一方へ傾動させると、前方開口部１０２ａ、後方開口部１０２ｂがそれぞれ形成されている収容部１０の前後の面が、カードホルダ１の設置面と略平行となる。
【００２１】
例えば、図７に示すように、左端部を前方へ向けるように収容部１０を逆時計回りに回動した後、左方向へ傾動させると、収容部１０を前後方向へ傾動させた場合とは異なり、軸部２０１が第１壁部４０１または第２壁部４０２に当接しないことによって、収容部１０をカードホルダ１の設置面と略平行することができる。この際、前方開口部１０２ａが上方に位置するため、収容部１０に収容されているカードにおいて前方開口部１０２ａから露出する面、例えばおもて面にメモなどを書き込むことが容易となる。同様に収容部１０を平行として後方開口部１０２ｂを上方に位置するようにすることも可能である。
【００２２】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００２３】
１  カードホルダ
１０  収容部
２０  ボールジョイント
２０１  軸部
２０２  球形部
３０  支持部
４０  ソケット
４００ａ，４００ｂ  切欠き
【図１】
0003210399.tif 000003
【図２】
0003210399.tif 000004
【図３】
0003210399.tif 000005
【図４】
0003210399.tif 000006
【図５】
0003210399.tif 000007
【図６】
0003210399.tif 000008
【図７】
0003210399.tif 000009